(57)【特許請求の範囲】
【請求項１】
筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機におけるバッグフィルタの清掃装置において、バッグフィルタをシンブルプレート上方に引き出す引き上げ機構と、引き上げられるバッグフィルタに対して付着塵埃を掻き取る剥離手段とを備え、該剥離手段は、圧力空気をバッグフィルタ外部に吹き付ける環状の圧力空気吹き付け管と、該圧力空気吹き付け管に形成したバッグフィルタに対して接線方向に圧力空気を吹き付ける多数の噴出孔と、圧力空気吹き付け管を挟んで上下に配置される環状の吸引管とより構成し、前記バッグフィルタを引き上げつゝ該剥離手段により付着塵埃を剥離することを特徴とする集塵機におけるバッグフィルタの清掃装置。
【請求項２】
筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機におけるバッグフィルタの清掃装置において、バッグフィルタをシンブルプレート上方に引き出す引き上げ機構と、引き上げられるバッグフィルタに対して付着塵埃を掻き取る剥離手段とを備え、該剥離手段は、環状の筺体にバッグフィルタの外面に対設するように間隔をあけて配設された多数の回転ブラシと、該多数の回転ブラシを配設した環状の筺体を、該筺体の中心軸を中心として回転駆動する機構と、前記回転ブラシを挟んで上下に配置される環状の吸引管とより構成し、前記バッグフィルタを引き上げつゝ該剥離手段により付着塵埃を剥離することを特徴とする集塵機におけるバッグフィルタの清掃装置。
【発明の詳細な説明】
【０００１】
【発明の属する技術分野】
本発明は、集塵機のバッグフィルタの清掃装置に関するものである。
【０００２】
【従来の技術】
上記集塵機の一例を図６及び図７に示す。図において集塵機１は筺体２内をシンブルプレート３により上下に区分し、下方を含塵空気室４、上方を浄化空気室５とし、シンブルプレート３には多数のバッグフィルタ１０を吊り下げ、含塵空気室４内に導入される含塵空気をバッグフィルタ１０により濾過し、浄化空気室５を経て排出するようにしたもので、バッグフィルタには蓄積塵埃を除去するため、逆噴射パイプ１２と、各バッグフィルタ１０にはノズル１３とを備え、かつバッグフィルタ１０内には所定の膨らみを保持するため、上端を上記ノズル１３に取付けられるケージ１１が挿入されている。６は排気フアン、１４は逆噴射用高圧空気供給管、１５は各逆噴射パイプへの圧力空気供給切り替え弁を示す。また１６はバッグフィルタ１０の上部取付けフランジ、１７は締め付けバンド、１９はノズルの上部フランジ１８に取付けられる芯出し用ボルトをそれぞれ示す。
【０００３】
これにより含塵空気室内に導入された含塵空気は、バッグフィルタ１０により濾過され、該バッグフィルタに付着した塵埃は、所定負圧に到達したとき、自動的に逆噴射パイプ１２よりの逆噴射により除去される。
【０００４】
【発明が解決しようとする課題】
ところで、上記従来の逆噴射による方法では除去されず、塵埃がバッグフィルタ表面に固着する場合がある。これを除去するためには、該バッグフィルタを取り外し、持ち帰る必要があり、取り外すためには、ケージ１１を上方に抜き、バッグフィルタ１０を含塵空気室４のホッパ４ａ内に落下させ、これを取り出し、持ち帰る方法が採られている。
【０００５】
このためには、ケージ１１を抜き取る行程と、ホッパ内に入ってバッグフィルタを取り出す行程が必要であり、しかもダストの蓄積するホツパ内に入ることは、ダイオキシン等の有害物質の対策を必要とする等の問題がある。
【０００６】
本発明は、上記従来の問題点に鑑み、ホッパ内に入ることなく、しかもダストを飛散させることなく、更に現場で掃除したバッグフィルタをそのまゝ再度装着使用を可能とする集塵機におけるバッグフィルタの清掃装置を提供することを目的とする。
【０００７】
【課題を解決するための手段】
上記目的を達成するため、第１の発明の集塵機におけるバッグフィルタの清掃装置は、筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機におけるバッグフィルタの清掃装置において、バッグフィルタをシンブルプレート上方に引き出す引き上げ機構と、引き上げられるバッグフィルタに対して付着塵埃を掻き取る剥離手段とを備え、該剥離手段は、圧力空気をバッグフィルタ外部に吹き付ける環状の圧力空気吹き付け管と、該圧力空気吹き付け管に形成したバッグフィルタに対して接線方向に圧力空気を吹き付ける多数の噴出孔と、圧力空気吹き付け管を挟んで上下に配置される環状の吸引管とより構成し、前記バッグフィルタを引き上げつゝ該剥離手段により付着塵埃を剥離することを特徴とする。
【０００８】
上記の構成からなる本発明は、バッグフィルタをシンブルプレート上方に引き上げつゝ付着塵埃を剥離手段により剥離することにより、付近を汚染することはない。また清掃されたバッグフィルタはそのまゝ降下してシンブルプレートに差し込むことにより、直ちに使用することができる。
【０００９】
また、同じ目的を達成するため、第２の発明の集塵機におけるバッグフィルタの清掃装置は、筺体内をシンブルプレートにより上下に区分し、下方を含塵空気室、上方を浄化空気室とし、シンブルプレートに多数の有底状のバッグフィルタを吊り下げ、含塵空気室に導入された含塵空気をバッグフィルタにより濾過し浄化空気室を介して排出する集塵機におけるバッグフィルタの清掃装置において、バッグフィルタをシンブルプレート上方に引き出す引き上げ機構と、引き上げられるバッグフィルタに対して付着塵埃を掻き取る剥離手段とを備え、該剥離手段は、環状の筺体にバッグフィルタの外面に対設するように間隔をあけて配設された多数の回転ブラシと、該多数の回転ブラシを配設した環状の筺体を、該筺体の中心軸を中心として回転駆動する機構と、前記回転ブラシを挟んで上下に配置される環状の吸引管とより構成し、前記バッグフィルタを引き上げつゝ該剥離手段により付着塵埃を剥離することを特徴とする。
【００１０】
上記の構成からなる本発明は、剥離手段として回転ブラシを利用したから、付着塵埃の剥離を確実に行うことができる。
【００１１】
【発明の実施の形態】
以下、本発明の集塵機におけるバッグフィルタの清掃装置の第１実施例の形態を図１乃至図２に基づいて説明する。なお、集塵機１は前記従来例と同様であり、同一部品に対しては同一符号を付して説明を省略する。
【００１２】
図において、２０は本発明の集塵機におけるバッグフィルタの清掃装置を示し、該清掃装置２０はバッグフィルタ１０の引き上げ機構２１と、引き上げられるバッグフィルタに付着する塵埃の剥離手段２２とよりなる。
【００１３】
引き上げ機構２１は、クレーン２３とバッグフィルタ１０の把持部材２４とよりなり、クレーン２３は集塵機１以外の適所に取付けられる。なお、このクレーンは建家の天井走行クレーンを使用するようにしてもよい。
【００１４】
剥離手段２２は、剥離部材として圧力空気をバッグフィルタに吹き付ける環状の圧力空気吹き付け管２５と、この吹き付け管を挟んで上下に配置される環状の吸引管２６、２７とよりなる。吹き付け管２５にはバッグフィルタに対して接線方向に多数の噴出孔２８を取付ける。また、吸引管２６，２７はそれぞれ適宜の吸引機構（図示省略）に接続され、かつバッグフィルタ側及び吹き付け管側を開口し、剥離される塵埃を吸引し排出する。
【００１５】
なお、この剥離手段２２は、バッグフィルタに対して着脱を容易ならしめるため、左右２個に区分し、蝶番２９等により開閉可能に連結することが好ましい。
【００１６】
次に、この清掃機構によるバッグフィルタの清掃要領を説明する。まず目詰まりを生じたバッグフィルタに対して、把持部材２４をノズル１３に取付け、バッグフィルタ１０をケージ１１と共にクレーン２３により引き上げる。ついで剥離手段２２を取付け、バッグフィルタを引き上げつゝ該剥離手段により付着塵埃を圧力空気により剥離し、吸引管２６、２７により吸引排除する。
【００１７】
清掃完了後は、バッグフィルタをそのまゝ下降させ、シンブルプレート３に取付け、清掃を完了する。
【００１８】
次に図３及び図４は第２実施例を示す。図は剥離手段の他の例を示すもので、この剥離手段３０は、剥離部材３１と、これを挟んで上下に配置される環状の吸引管３２，３３とよりなる。剥離部材３１は、環状の筺体３５に多数の回転ブラシ３６と、各回転ブラシを回転させる歯車機構３７とを備える。該歯車機構３７は、ブラシに取付けられる従動歯車３８と、各従動歯車間に配備される駆動歯車３９と駆動モータＭに取付けられる主動歯車４０とよりなる。なお、上記回転ブラシによりバッグフィルタ全面をブラッシングするために、筺体３５を少なくとも回転ブラシ取付け間隔を正逆回転するための歯車機構４２、駆動モータ４３よりなる揺動機構４１を備える。
【００１９】
上記構成において、バッグフィルタの清掃に際しては、回転ブラシ３６を回転させることにより、バッグフィルタに付着する塵埃を確実に剥離することができる。この場合剥離部材３１を左右方向に揺動することにより、バッグフィルタ全面を拭払することができる。なお、この場合も筺体及び吸引管を２分し蝶番により連結し、開閉可能とすることが好ましい。
【００２０】
更に図５は第３実施例を示し、第２実施例同様、付着塵埃をフィルタより剥離せしめる植毛を有する回転ブラシ４４の軸をバグフィルタ軸芯に直交する向きに円周上に配備する（図例では４５度間隔に８個）。回転ブラシ４４の回転には回転軸４５に歯車機構等（図示しない）を介し駆動モータ（図示しない）の回転力を伝達するほか、回転軸内部にモータ機構を内蔵したものを使用しても良い。
【００２１】
回転ブラシ４４は、図５に示す如くその中心付近をフィルタ表面より内側に届く位置に取り付け、第２実施例同様、揺動機構４１により揺動せしめフィルタ全面の付着塵埃を剥離する。
【００２２】
【発明の効果】
以上の如く本発明の集塵機におけるバッグフィルタの清掃装置によれば、引き上げ機構によりバッグフィルタをシンブルプレート上方に引きあげつゝ、剥離手段により付着塵埃を剥離するようにしたから、バッグフィルタに付着する塵埃を飛散させることなく、除去することができる。しかもその作業はシンブルプレート上方において行うことができる故、従来の如き有害物質への対策等を必要とせず、作業を快適に行うことができる。
さらに、請求項１記載の発明によれば、剥離手段を圧力空気をバッグフィルタ外部に吹き付ける環状の圧力空気吹き付け管と、該圧力空気吹き付け管に形成したバッグフィルタに対して接線方向に圧力空気を吹き付ける多数の噴出孔と、圧力空気吹き付け管を挟んで上下に配置される環状の吸引管とより構成したことにより、バッグフィルタを痛めることなく、しかも剥離された塵埃は吸引管により吸引除去される故、付近を汚染することはない。
また、請求項２記載の発明によれば、バッグフィルタをシンブルプレート上方に引き出す引き上げ機構と、引き上げられるバッグフィルタに対して付着塵埃を掻き取る剥離手段とを備え、該剥離手段は、環状の筺体にバッグフィルタの外面に対設するように間隔をあけて配設された多数の回転ブラシと、該多数の回転ブラシを配設した環状の筺体を、該筺体の中心軸を中心として回転駆動する機構と、前記回転ブラシを挟んで上下に配置される環状の吸引管とより構成したことにより、付着塵埃の剥離を強力に行うことができると共に、バッグフィルタ全面を拭払することができる。
【図面の簡単な説明】
【図１】  本発明の集塵機におけるバッグフィルタの清掃装置の一実施例を示す全体説明図である。
【図２】  同圧力空気吹き付け管の平面図である。
【図３】  剥離手段の他の例を示し、一部を断面とした剥離手段の正面図である。
【図４】  同回転ブラシの駆動要領説明図である。
【図５】  回転ブラシの別の実施例を示す。
【図６】  集塵機の縦断説明図である。
【図７】  バッグフィルタの取付け要領説明図である。
【符号の説明】
１    集塵機
１０  バッグフィルタ
１１  ケージ
２０  バッグフィルタ清掃装置
２１  バッグフィルタ引き上げ機構
２２  塵埃剥離手段
２５  圧力空気吹き付け管
２６  吸引管
２７  吸引管
３０  剥離手段
３１  剥離部材
３２  吸引管
３３  吸引管
３６  回転ブラシ
４４  回転ブラシ
【図１】
0003676712.tif 000002
【図２】
0003676712.tif 000003
【図３】
0003676712.tif 000004
【図４】
0003676712.tif 000005
【図５】
0003676712.tif 000006
【図６】
0003676712.tif 000007
【図７】
0003676712.tif 000008